Podtech/llm-jp-corpus-v4-ja_patent huggingface dataset:
(57)【要約】      （修正有）【課題】ヘラ板を腰袋から取り出す手間を省き、作業者の負担を軽減し、作業効率を向上させるテープの切断具を提供する。【解決手段】テープの切断具は、基板部１の一端に薄板な金属のヘラ板２を固定させて、前記基板部１の平面に帯状面ファスナー５が通る透穴４を設けたテープの切断具であって、ヘラ板２の先端が指先の方向に向くように手の甲側に位置決めして、基板部１の透穴４に帯状面ファスナー５を通して帯状面ファスナー５で指に固定している。【選択図】図１
0003228686.tif 000002
【実用新案登録請求の範囲】
【請求項１】
手の甲側に取付けてファイバーテープを切断する切断具であって、基板部の一端に薄板な金属のヘラ板を固定させて、前記基板部の平面に帯状面ファスナーが通る透穴を設けたことを特徴とするテープの切断具。
【考案の詳細な説明】
【技術分野】
【０００１】  本考案は、手の甲側に取り付けてファイバーテープを切断するテープの切断具に関するものである。
【背景技術】
【０００２】  従来、塗装や壁紙を貼る前に石膏ボードと石膏ボードの継ぎ目をパテでふさいだだけでは、乾燥時にパテが収縮して表面まで割れ目になってしまう事があるので、石膏ボードと石膏ボードの継ぎ目を石膏ボードカンナで４５度面取りし、ファイバーテープを貼り付けてその上からパテを塗るが、その際ファイバーテープを貼り終わってファイバーテープを切断するには、ヘラ板を腰袋から取り出してファイバーテープにヘラ板を押し当て切断していた。
【先行技術文献】
【０００３】
【特許文献】
【特許文献】実用新案登録第３１８３３１０号公報
【考案の概要】
【考案が解決しようとする課題】
【０００４】  従来、ファイバーテープを貼り付ける時は、片方の手のひらで伸ばしたファイバーテープを石膏ボードに密着させながら押さえて貼っていき、もう片方の手はファイバーテープ本体を持っているので、ファイバーテープを貼り終わってファイバーテープを切断するためには、ヘラ板を腰袋から取り出してファイバーテープにヘラ板を押し当て切断していたが、ファイバーテープを切断の際には何度も同じ作業を繰り返して行わなければならない。従って、ファイバーテープを切断するテープの切断具を手の甲に取り付けて、前述の欠点を解決しようとするものである。
【課題を解決するための手段】
【０００５】  上記問題を達成するためには、基板部の平面に帯状面ファスナーが通る透穴を設け、前記基板部の一端に薄板な金属のヘラ板を固定させて、金属板の先端が指先の方向に向くように手の甲側に位置決めして、基板部の透穴に帯状面ファスナーを通して帯状面ファスナーで指を固定して問題を解決したものである。
【考案の効果】
【０００６】  上述の様に、本考案のテープの切断具は、基板部の平面に帯状面ファスナーが通る透穴を設け、前記基板部の一端に薄板なヘラ板を固定させて、ヘラ板の先端が指先の方向に向くように手の甲側に位置決めして、基板部の透穴に帯状面ファスナーを通して帯状面ファスナーで指に装着しているので、ファイバーテープを切断する際は手の甲側の指を折り曲げる事により、ヘラ板の先端がファイバーテープに接するので、ファイバーテープに本考案のテープの切断具のヘラ板の先端を押し当てて、他方の手でファイバーテープを引き裂いて切断できるのて、作業がスムーズに行えて作業効率も向上する。【０００７】また以前の様に、ファイバーテープを切断の際には何度もヘラ板を腰袋から取り出す同じ作業を繰り返して行わなければならなかったが、ヘラ板を腰袋から取り出す手間が省けるので作業者の負担も軽減されることにより作業効率も向上する。【０００８】  また、相互に係合可能な表係合面と裏係合面を有する帯状面ファスナーで指を固定しているので、指の締め具合の調整や基板部の位置決め等は容易に行える。
【図面の簡単な説明】
【０００９】
【図１】本考案の取付状態を示す一部欠損正面図
【図２】本考案の一部欠損側面図
【考案を実施するための形態】
【００１０】  本考案は、基板部の一端に薄板な金属のヘラ板を固定させて、前記基板部の平面に帯状面ファスナーが通る透穴を設けたテープの切断具であって、、ヘラ板の先端が指先の方向に向くように手の甲側に位置決めして、基板部の透穴に帯状面ファスナーを通して帯状面ファスナーで指に固定している。以下、添付図面に従って一実施例を説明する。
【実施例】
【００１１】  図１及び図２は本考案の取付状態を示す一部欠損正面図と一部欠損側面図である。
１は合成樹脂や木製等で形成された基板部である。２は薄板な金属のヘラ板であり、基板部１の一端にリベット３で固定されている。４は基板部１の平面に設けられた透穴であり、帯状面ファスナー５が通る。【００１２】  本考案は以上の構成であるから、ファイバーテープを貼り付ける時は、片方の手のひらで伸ばしたファイバーテープを石膏ボードに密着させながら押さえて貼っていき、もう片方の手はファイバーテープ本体を持っているので、予めヘラ板２の先端が指先の方向に向くように手の甲側に位置決めして、基板部１の透穴４に帯状面ファスナー５を通して帯状面ファスナー５で指に固定しているので、ファイバーテープを切断する際は手の甲側の指を内側に折り曲げる事により、ヘラ板２の先端がファイバーテープに接するので、ヘラ板２の先端をファイバーテープに押し当てて、他方の手でファイバーテープを引き裂いて切断できるので、腰袋からヘラ板を取り出す手間が省けるので作業がスムーズに行えて作業者の負担も軽減され作業効率も向上する。
【産業上の利用可能性】
【００１３】  本考案は、テープの切断具の産業で利用される。
【符号の説明】
【００１４】１  基板部
２  ヘラ板
３  リベット
４  透穴
５  帯状面ファスナー
【図１】
0003228686.tif 000003
【図２】
0003228686.tif 000004
(57)【要約】      （修正有）【課題】使い勝手が良く、衛生面や環境問題に配慮したはちみつスプーンを提供する。【解決手段】スプーン、柄２の断面をＵ字状として先端４をＶ字形状とし、直線部分をもうけ、素材は環境負荷の小さなプラスチックを使い強度を上げた。【選択図】図１
0003228683.tif 000002
【実用新案登録請求の範囲】
【請求項１】
先（さき）をＶ字形状としたツボと、柄尻に小さなツボをつけたスプーン
【請求項２】
Ｕ字形断面を有する柄をもつスプーン
【請求項３】
素材に生分解プラスチックや紙や木材などを使用したバイオマス素材の焼却可能な樹脂で作った環境負荷の小さなスプーン
【考案の詳細な説明】
【技術分野】
【０００１】本発明は、はちみつ等の食材用スプーンに関するものである。
【背景技術】
【０００２】
【先行技術文献】
【０００３】
【非特許文献】
【非特許文献】ｈｔｔｐｓ：／／ｙｏｕｒｍｙｓｔａｒ．ｊｐ／ｒｅｌｉｔｅｍ／ｋｉｔｃｈｅｎ−ｉｔｅｍ／ｈｏｎｅｙ−ｓｐｏｏｎ／
【考案の概要】
【考案が解決しようとする課題】
【０００４】「はちみつ用スプーン」は種々様々な形状のものが市販されている。
一般的に使用されているハニーデッパーは、はちみつを容器から取り出し温かい紅茶などへはちみつを入れる際には、そのままディッパーごとくるくる回すことでティースプーン代わりとしての用途に限られている。【０００４】  スプーンタイプは、すくう、混ぜる、塗る、食べるが一度に出来るので使い勝手が良いので様々なタイプが提供されている。【０００５】  しかし、従来のスプーンには以下のような使いづらさと欠点があった。【０００６】  先端を開放したＵ字型金属スプーン以外の通常のスプーンでは気温低下による結晶化し固化したはちみつを容器から取り出すことが難しい。【０００７】  從來のスプーンでは容器からすくったはちみつをパンなどの表面に直接均等な厚さに塗ることはできない。【０００８】又、従来の素材には以下のような欠点があった。【０００９】  木製のはちみつスプーンは持ち心地がよく昔ながらの定番ですが、形状によっては洗いにくかったり、すぐに乾かさないとカビの原因になったりといった欠点がある。又素材の性質上使い捨てに近い寿命である。【００１０】  ステンレス製のはちみつスプーンは洗いやすくさびにくい特徴があり、さらに丈夫であるが「金属と舌や歯が触れ合うのが苦手」「食器と触れた時に鳴る音がダメ」という方には不向きである。又インフルエンザ予防などでマヌカハニーを取り入れている場合、金属製のスプーンと触れることで、品質が変化する可能性も指摘されている。【００１１】  プラスチック素材のはちみつスプーンは手入れがしやすく洗いやすいが、商品によっては持ち手が柔らかすぎてうまくすくえなかったり、食洗器で洗えなかったりといった欠点があり、特にスプーンごと電子レンジではちみつを溶かすことは素材の性質上できないものが多い。又プラスチックは廃棄する場合環境汚染問題が生じる。
【考案が解決しようとする課題】
【００１２】
【課題を解決するための手段】
【００１３】  つぼの先端をＶ字形状とし直線部分をもうける。【００１４】  生分解プラスチックや焼却可能な環境負荷の小さな素材を使い環境汚染問題解決に貢献する。【００１５】  柄の強度を上げるために断面をＵ形状とした。
【考案の効果】
【００１６】  先端から中ほどまでの直線状部分がスプーンを回転することによりはちみつが自然に流れ出し、食材に均等な塗り厚を提供する。【００１７】  本考案のスプーンで容器からすくったはちみつを、つぼの直線面を使って直接均等に食材に塗れるためにはちみつの無駄がない。【００１８】  冬場に結晶化するはちみつを容易にすくい取り出せるので従来のハチミツディッパー（はちみつスプーン）よりはちみつをロスなく取り出せ且つ衛生的である。【００１６】  柄が従来のプラスチック製品より強度が上がり長尺物のスプーンができることで大きな容器からでもすくいだせる。【００１７】  障害者や高齢者に介護士が食事を与える際に口周りに付着した食物を、つぼの直線部を使って容易に取り去ることができ、作業性の向上と衛生面に寄与できる。【００１８】  生分解プラスチックや焼却可能な素材を使用しているので環境問題解決の一助となる。【００１４】  スプーンに触れることによる「はちみつの成分」の品質変化がない。【００１５】
【図面の簡単な説明】
【００１６】
【図１】は本考案の斜視図
【図２】柄の断面図
【考案を実施するための形態】
【００１７】どの様な環境条件でも、はちみつをとりだせるスプーンを提供する。
【実施例】
【００１８】  図１は本考案の斜視図であり、実施ための詳細をしめす。
【産業上の利用可能性】
【００１９】  本考案は、從來のスプーンの使い勝手を改良し，素材を選定した事ではちみつの品質変化を防ぎロスをなくし経済的にも貢献できる。
【符号の説明】
【００２０】１  はちみつ用ツボ
２  柄
３  補助ツボ
４  Ｖ字形状の先端
５  柄のリブ
【図１】
0003228683.tif 000003
【図２】
0003228683.tif 000004
(57)【要約】      （修正有）【課題】ブレーキの作用を高めるブレーキローターを提供する。【解決手段】ブレーキシューが接する面に三角突起２を設けたブレーキローター１にした。ブレーキシューを擦りつけ、ブレーキを作動させた時に三角突起２の部分では、ブレーキシューを押しかえそうとする力が発生する。そのためブレーキシューとブレーキローター１がさらに密着して、さらにブレーキの作用が高まる。【選択図】図２
0003228684.tif 000002
【実用新案登録請求の範囲】
【請求項１】
ブレーキシューが接する面に三角突起を設けたブレーキローター。
【考案の詳細な説明】
【技術分野】
【０００１】  本考案は、ブレーキブースターの機能を図った、ブレーキローターに関するものである。
【背景技術】
【０００２】  従来のブレーキローターには、ブレーキシューが接する面が平らなものがある。（例えば、非特許文献１参照）。
【先行技術文献】
【非特許文献】
【０００３】
【非特許文献１】青山元男著「最新オールカラークルマのメカニズム」株式会社ナツメ社  ２０１６年７月１０日
【考案の概要】
【考案が解決しようとする課題】
【０００４】  以上に述べた従来のブレーキローターでは、ブレーキシューが接する面が平らなので、ブレーキも一定でしか作用しなかった。
【課題を解決するための手段】
【０００５】  そこで、本考案は上記課題を解決するため、ブレーキシューが接する面に三角突起を設けたブレーキローターにした。
【考案の効果】
【０００６】  本考案のブレーキローターはブレーキシューを擦りつけ、ブレーキを作動させた時に三角突起の部分では、ブレーキシューを押しかえそうとする力が発生する。そのためブレーキシューとブレーキローターがさらに密着して、さらにブレーキの作用が高めることができる。
【図面の簡単な説明】
【０００７】
【図１】  ブレーキシューが接する面から見たブレーキローターの外観図
【図２】  ブレーキローターの一部を切り、引き伸ばして上から見た断面図
【考案を実施するための形態】
【０００８】  以下、本考案の実施の形態を図面に基づいて説明する。
【０００９】  図において、１が金属やカーボン、セラミック、プラスチックなどで作ったブレーキローターで、２が金属やカーボン、セラミック、プラスチックなどで作った三角突起であり、１のブレーキローターに一体化する。
【符号の説明】
【００１０】  １  ブレーキローター
２  三角突起
【図１】
0003228684.tif 000003
【図２】
0003228684.tif 000004
(57)【要約】      （修正有）【課題】丈夫な傘を提供する。【解決手段】傘は、傘生地と、中棒３と、傘骨４とを備える。傘生地は傘骨４に設けられている。傘における左側面図と右側面図と背面図は、正面図と同一に表れる。傘は折りたたみ構造を有する。傘は、下ろくろ部１０を備えている。下ろくろ部１０に、補強部品１１が設けられている。補強部品１１は、放射状に開いた状態の傘骨４それぞれを下方から支持する。補強部品１１は、筒状である。【選択図】図７
0003228689.tif 000002
【実用新案登録請求の範囲】
【請求項１】
中棒、傘骨、傘生地、および下ろくろ部を備え、
前記下ろくろ部に、放射状に開いた状態の前記傘骨を下方から支持する補強部品が設けられた傘。
【請求項２】
前記傘骨を開いたときに前記傘生地が平面視で四角形となるように構築された請求項１に記載の傘。
【考案の詳細な説明】
【技術分野】
【０００１】
本開示は、傘に関する。
【背景技術】
【０００２】
傘は、一般的に、中棒、傘骨、傘生地、上ろくろおよび下ろくろ部を備える。
【考案の概要】
【考案が解決しようとする課題】
【０００３】
傘は丈夫であることが好ましい。
【０００４】
本開示は、丈夫な傘を提供する。
【課題を解決するための手段】
【０００５】
傘の一態様は、中棒、傘骨、傘生地、および下ろくろ部を備え、前記下ろくろ部に、放射状に開いた状態の前記傘骨を下方から支持する補強部品が設けられたものである。
【考案の効果】
【０００６】
補強部材が傘骨それぞれを下方から支持するので、傘を補強することができる。
【図面の簡単な説明】
【０００７】
【図１】傘の構成を表す正面図である。
【図２】傘の構成を表す平面図である。
【図３】傘の構成を表す底面図である。
【図４】傘の構成を表す斜視図である。
【図５】傘生地を除いた状態を示す正面図である。
【図６】傘生地を除いた状態における折りたたみ構造を示す正面図である。
【図７】図５のａ−ａ’，ｂ−ｂ’部分の拡大図である。
【図８】傘骨を揺動させた状態を示す図５のａ−ａ’，ｂ−ｂ’部分の拡大図である。
【図９】図７のＡ−Ａ線断面図である。
【考案を実施するための形態】
【０００８】
実施の形態は、平面四角形状の折りたたみ傘である傘１を提供する。図１は傘１の構成を表す正面図であり、図２はその平面図であり、図３はその底面図であり、図４はその斜視図である。傘１は、傘生地２と、中棒３と、傘骨４とを備える。傘生地２は傘骨４に設けられている。傘１における左側面図と右側面図と背面図は、図１の正面図と同一に表れる。
【０００９】
図５は、傘生地２を除いた状態を示す正面図である。図６は、傘生地２を除いた状態における折りたたみ構造を示す正面図である。図５および図６に示すように、傘１は、下ろくろ部１０を備えている。
【００１０】
図７〜図９に示すように、下ろくろ部１０に、補強部品１１が設けられている。図７および図９から把握されるように、補強部品１１は、放射状に開いた状態の傘骨４それぞれを下方から支持する。補強部品１１は、筒状である。
【符号の説明】
【００１１】
１  傘
２  傘生地
３  中棒
４  傘骨
１０  下ろくろ部
１１  補強部品
【図１】
0003228689.tif 000003
【図２】
0003228689.tif 000004
【図３】
0003228689.tif 000005
【図４】
0003228689.tif 000006
【図５】
0003228689.tif 000007
【図６】
0003228689.tif 000008
【図７】
0003228689.tif 000009
【図８】
0003228689.tif 000010
【図９】
0003228689.tif 000011
(57)【要約】      （修正有）【課題】フェイスシールドのシールド部に孔を開け、フレームを差し込むだけで簡単に取り付け、取り外しができるフェイスシールドを提供する。【解決手段】シールド部２とフレーム３を備えたフェイスシールドであって、シールド部が複数の孔を有し、孔にフレームが差し込まれ、フレームが略Ｕ字形状に湾曲しており、シールド部が装着者の顔を覆うことにより、飛沫感染予防に役立つ。【選択図】図１
0003228682.tif 000002
【実用新案登録請求の範囲】
【請求項１】
シールド部とフレームを備えたフェイスシールドであって、前記シールド部が複数の孔を有し、前記孔に前記フレームが差し込まれており、前記フレームが略Ｕ字形状に湾曲しており、前記シールド部が装着者の顔を覆うことを特徴とするフェイスシールド。
【請求項２】
前記フレームにおける略Ｕ字形状の底辺部の両端付近で内側に湾曲していることを特徴とする請求項１記載のフェイスシールド。
【考案の詳細な説明】
【技術分野】
【０００１】      本考案は、フェイスシールドのシールド部に設けた孔とフレーム部の構造に関するものである。
【考案の概要】
【考案が解決しようとする課題】
【０００２】  フェイスシールドはフレームに設けられた取り付け部品や、取り付け別部品でつけられていたので、取り付けが複雑であり、シールドの交換にも手間取っていた。
【課題を解決するための手段】
【０００３】  本考案はシールドに孔を開けることで、フレームを通すだけで簡単に取り付け、取り外しができる。そればかりか取り付け部品や、取り付け別部品も不要となる。
【考案の効果】
【０００４】  上述の様に本考案のフェイスシールドはシールド部に孔を設けていることでフレームが簡単に差し込み、取り外しが簡単にできることで、シールドの交換が容易にできるので、忙しい医療従事者の方々が医療現場で使用する際にも役立つ。
【図面の簡単な説明】
【０００５】
【図１】本考案のフェイスシールドとフレームの取り付け前の正面図である。
【図２】本フェイスシールドのフレーム３を左右各３孔を通した時の正面図でシールドの両端がフレームの外側に位置する。
【図３】フェイスシールドのシールド本体１に孔４１、４３、と４１’、４３’に通し真ん中の４２と４２’の穴を通さずに組み立てた正面図である。この場合はシールドの両端がフレームの内側に位置する。
【考案を実施するための形態】
【０００６】  本考案の実施形態について図１〜３を参照して説明する。
図１にフェイスシールドの構造を示す。フェイスシールド１はシールド部２とフレーム３を備えている。シールド部２は複数の孔４を有している。孔４は６個の孔４１、４２、４３、４１’，４２’，４３’を有している。フレーム３は略Ｕ字形状に湾曲している。また、フレーム３は略Ｕ字形状の底辺部（図１のフレーム３における上方部分）の両端付近で内側に湾曲している。孔４にフレーム３が連続して差し込まれており、シールド部２が装着者の顔を覆う。
【０００７】  図２はフェイスシールド１でフレーム３をシールド部２に孔４１、４２、４３、と４１’、４２’、４３’、の左右各３孔を通した時の正面図である。
この場合はシールド部２の両端がフレーム３の外側に位置する。
【０００８】  図３はフェイスシールド１のシールド部２に穴４１、４３、と４１’、４３’にフレーム３を通し真ん中の４２と４２’の穴を通さずに組み立てた正面図である。この場合はシールド部２の両端がフレーム３の内側に位置する。
【０００９】  フェイスシールド１のシールド部２の取り付け方法がシールド部２の数個の孔にフレームを差し込むというシンプルな方法であるため、取り外しも引っ張るだけである。シールド部２を不透明なもの、ＵＶカット材、プリント加工したシールドなどに付け替えることで、用途も広がり、オリジナル商品をつくることができる。
【００１０】  フェイスシールド１のシールド部２の形状を変え、プリント加工をし、飾りを追加することで、動物やキャラクター、人物などが表現でき、着脱容易なお面としても利用できる。
【００１１】  フェイスシールド１の樹脂製の顔全体を覆うシールド部２を透明にすることで、口からの飛沫感染を防ぎ、話し相手にも顔全体が見える。特に口元が見えることで「読唇」も可能になる。また顔の表情もはっきり認識できることで、コミュニケーションも容易になる。
【００１２】シールド部２の材質はＡＰＥＴ  ０．２〜０．３ｍｍ厚が好ましい。
フレーム３の材質は射出成形で使用できる汎用樹脂で、スチロール樹脂，ハイインパクト、ＡＳ樹脂、ＡＢＳ樹脂、ポリカーボネート樹脂、アクリル樹脂、Ｋレジンなどがある。
【００１３】孔４の数は６個に限らず、何個でもよい。
【産業上の利用可能性】
【００１４】  医療現場での感染予防の用具としての他、教育現場での先生、生徒、英会話教室などの先生、生徒、工場などで作業をする人々、飲食業など対面で接客される人々、百貨店、スーパー、銀行、郵便局など接客業の人々、事務所の人々、役所など不特定多数の人々と接する人々、テーマパークなどでの感染予防グッズとして、水族館、美術館、博物館、図書館、観光バスでの乗務員、乗客、タクシー、自動車教習所での実技教習時の教官、教習者、自家用車、社用車等と人々が社会生活を送る中で、人と接触するすべての業種及び、家庭、会社内など全ての場所においても感染予防用具として利用できる可能性がある。
【符号の説明】
【００１５】１  フェイスシールド
２  シールド部
３  フレーム
４  孔
【図１】
0003228682.tif 000003
【図２】
0003228682.tif 000004
【図３】
0003228682.tif 000005
(57)【要約】      （修正有）【課題】気温の温度変化で変形せず、耐久性に優れるシリコンゴム鏝道具を提供する。【解決手段】鉄鏝に簡単にはめ込みが出来ることを特徴とするシリコンゴム鏝道具であって、鏝２に装着するシリコンゴム１を袋状にすることにより、簡単に交換可能になった。【選択図】図２
0003228674.tif 000002
【実用新案登録請求の範囲】
【請求項１】
本体素材をシリコンゴムにし、袋状に成型することを特徴とするゴム鏝。
（図１、図２  ▲１▼▲２▼）
【請求項２】
シリコンゴムを袋状にすることにより、簡単に交換可能になった。
【考案の詳細な説明】
【技術分野】
【０００１】本考案は目地用シリコンゴム鏝道具です。素材をシリコンゴムにし、成型でシリコン材料を袋状に成型し、鉄鏝にはめ込み取付できます。
また、シリコンゴム部を外すと鉄鏝になります。
【背景技術】
【０００２】従来の素材はゴムスポンジを鉄鏝にボンド接合していました。
【考案の概要】
【考案が解決しようとする課題】
【０００５】従来のゴムスポンジはボンド接着の為、交換するのに時間がかかり大変でした。【０００６】ゴムスポンジの耐久性がシリコンゴムより劣っています。【０００７】ゴムスポンジは使用するたびに消耗します。【０００８】素材がゴムスポンジの場合強度が弱く気温で変形する。【０００９】シリコンゴムを外すと鉄鏝として使用出来ます。
【課題を解決するための手段】
【００１０】素材をゴムスポンジからシリコンゴムにすることにより強度耐久性があがります。
（図１、図２  ▲１▼）【００１１】シリコンゴムは温度変化でも変形しません。  （図１、図２  ▲１▼）【００１２】シリコンゴムを袋状にすることにより簡単に交換可能になった。
（図２  ▲１▼）
【考案の効果】
【００１３】素材をシリコンゴムにした為、耐久性が良くなった。
（図１、図２  ▲１▼▲２▼）【００１４】ゴム交換が簡単に交換できるようになった。
（図１、図２  ▲１▼▲２▼）【００１５】シリコンゴム部分が外れるため洗浄がしやすくなった。
（図１、図２  ▲１▼）【００１６】従来品より肉厚を薄くしても強度が保てます。（図１、図２  ▲１▼）
【図面の簡単な説明】
【００１７】
【図１】シリコンゴム鏝の平面図である。
【図２】シリコンゴム鏝の構造詳細図である。
【符号の説明】
【００１８】▲１▼  シリコンゴム
▲２▼  鉄鏝
【図１】
0003228674.tif 000003
【図２】
0003228674.tif 000004
【手続補正書】
【提出日】令和2年1月30日(2020.1.30)
【手続補正１】
【補正対象書類名】実用新案登録請求の範囲
【補正対象項目名】全文
【補正方法】変更
【補正の内容】
【実用新案登録請求の範囲】
【請求項１】
鉄鏝に簡単にはめ込みが出来ることを特徴とするシリコンゴム鏝です。
【請求項２】
鏝に装着するシリコンゴムを袋状にすることにより、簡単に交換可能になった鏝道具です。
【手続補正書】
【提出日】令和2年4月15日(2020.4.15)
【手続補正１】
【補正対象書類名】実用新案登録請求の範囲
【補正対象項目名】全文
【補正方法】変更
【補正の内容】
【実用新案登録請求の範囲】
【請求項１】
鉄鏝に簡単にはめ込みが出来ることを特徴とするシリコンゴム鏝道具です。
【請求項２】
鏝に装着するシリコンゴムを袋状にすることにより、簡単に交換可能になった事を特徴とする請求項１記載の鏝道具です。
【手続補正書】
【提出日】令和2年7月3日(2020.7.3)
【手続補正１】
【補正対象書類名】実用新案登録請求の範囲
【補正対象項目名】全文
【補正方法】変更
【補正の内容】
【実用新案登録請求の範囲】
【請求項１】
鉄鏝に簡単にはめ込みが出来ることを特徴とするシリコンゴム鏝道具であって、鏝に装着するシリコンゴムを袋状にすることにより、簡単に交換可能になった事を特徴とするシリコンゴム鏝道具。
(57)【要約】      （修正有）【課題】好適な材料で構築された折りたたみ傘を提供する。【解決手段】傘は、折りたたみ傘である。傘生地は熱可塑性ウレタン材（ＴＰＵ）製である。傘生地は傘骨ｂ毎の周上の５片に分割されている。傘生地はその一部が透明である。互いに隣り合う傘生地の分割片ａ１、ａ２がその合わせ部ａ３にて傘骨ｂと共に綴じ糸ｃで綴じられている。また、この綴じ糸ｃによる綴じ構造を補強するための補強片ｄが、分割片ａ１、ａ２および傘骨ｂと共に綴じ糸ｃで綴じられている。【選択図】図１０
0003228637.tif 000002
【実用新案登録請求の範囲】
【請求項１】
折りたたみ可能に構築された傘骨と、
前記傘骨に設けられ、熱可塑性ウレタン材で構築された傘生地と、
を備える傘。
【請求項２】
前記傘生地は、隣り合う分割片を含み、
前記分割片の合わせ部にて前記傘骨とともに綴じ糸で綴じられた請求項１に記載の傘。
【考案の詳細な説明】
【技術分野】
【０００１】
本開示は、傘に関する。
【背景技術】
【０００２】
折りたたみ傘の傘生地には各種のものが知られている。
【考案の概要】
【考案が解決しようとする課題】
【０００３】
傘生地について研究を重ねた結果、好適な材料が見いだされた。
【０００４】
本開示は、傘生地に工夫を施した折りたたみの傘を提供する。
【課題を解決するための手段】
【０００５】
傘の一態様は、折りたたみ可能に構築された傘骨と、前記傘骨に設けられ、熱可塑性ウレタン材で構築された傘生地と、を備える。
【考案の効果】
【０００６】
好適な材料で構築された折りたたみ傘が提供される。
【図面の簡単な説明】
【０００７】
【図１】傘の構成を表す正面図である。
【図２】傘の構成を表す背面図である。
【図３】傘の構成を表す左側面図である。
【図４】傘の構成を表す平面図である。
【図５】傘の構成を表す底面図である。
【図６】傘生地を除いた状態を示す正面図である。
【図７】傘生地を除いた状態における折りたたみ構造を示す正面図である。
【図８】傘の透明部を示す平面図である。
【図９】傘の透明部を示す斜視図である。
【図１０】中綴じ構造を示す図である。
【図１１】図１０のＡ−Ａ線拡大断面図である。
【考案を実施するための形態】
【０００８】
図１〜図５には、傘１の六面図が表される。ただし右側面図は、図３の左側面図と対称に表れるので省略される。傘１は、折りたたみ傘である。傘生地２は熱可塑性ウレタン材（ＴＰＵ）製である。傘生地２は傘骨ｂ毎の周上の５片に分割されている。
【０００９】
図６は、傘１から傘生地２を除いた状態を示している。図７は傘生地２を除いた状態における折りたたみ構造を示していて、傘骨ｂが折りたたみ構造を持つことが図示されている。
【００１０】
傘生地２はその一部が透明である。すなわち、傘生地２のうち、透明部を示す平面図（図８）および斜視図（図９）において薄墨を施した部分Ｘは透明である。
【００１１】
図１０は、中綴じ構造を示す。図１１は、図１０のＡ−Ａ線拡大断面図である。図１０に示すように、互いに隣り合う傘生地２の分割片ａ１、ａ２がその合わせ部ａ３にて傘骨ｂと共に綴じ糸ｃで綴じられている。また、この綴じ糸ｃによる綴じ構造を補強するための補強片ｄが、分割片ａ１、ａ２および傘骨ｂと共に綴じ糸ｃで綴じられている。
【符号の説明】
【００１２】
１  傘
２  傘生地
３  中棒
ａ１、ａ２  分割片
ａ３  合わせ部
ｂ  傘骨
ｃ  綴じ糸
ｄ  補強片
Ｘ  傘生地の透明部分
【図１】
0003228637.tif 000003
【図２】
0003228637.tif 000004
【図３】
0003228637.tif 000005
【図４】
0003228637.tif 000006
【図５】
0003228637.tif 000007
【図６】
0003228637.tif 000008
【図７】
0003228637.tif 000009
【図８】
0003228637.tif 000010
【図９】
0003228637.tif 000011
【図１０】
0003228637.tif 000012
【図１１】
0003228637.tif 000013
(57)【要約】      （修正有）【課題】遮光効果が十分で、軽くて使い勝手のよい日傘を提供する。【解決手段】柄１に摺動可能に嵌合される下ろくろ４と、生地１１を支えて柄１に屈曲可能に放射状に取り付けられる親骨３の中途とを、下ろくろ４と親骨３との間に介在する受骨５の両端で屈曲可能に連結し、下ろくろ４を柄１に対して上下することで親骨３を回動させて生地１１を開閉する日傘において、生地１１の傾斜を水平にするとともに、一辺が４００〜５００ｍｍの小さい四角形にする。【選択図】図２
0003228653.tif 000002
【実用新案登録請求の範囲】
【請求項１】
柄に摺動可能に嵌合される下ろくろと、生地を支えて柄に屈曲可能に放射状に取り付けられる親骨の中途とを、下ろくろと親骨との間に介在する受骨の両端で屈曲可能に連結し、下ろくろを柄に対して上下することで親骨を回動させて生地を開閉する日傘において、生地の傾斜を水平にするとともに、一辺が４００〜５００ｍｍの小さい四角形にしたことを特徴とする日傘。
【請求項２】
親骨が四本である請求項１の日傘。
【考案の詳細な説明】
【技術分野】
【０００１】
本考案は、軽量、コンパクトな日傘に関するものである。
【背景技術】
【０００２】
太陽光を遮るのに日傘があるが、従来の日傘は雨傘と同様な構造をしていた。ただ、日傘専用のものもあるが、小型で軽量という特性はあっても、構造的には雨傘と同様であった。つまり、生地は八角形であり、縁に向って下り傾斜をしていた。
【０００３】
下記特許文献１に四角形のミニ日傘が提案されている。これは生地を支える親骨を四本にして生地をこれに沿って四角形に貼り付けたもので、軽量で安価に製造できるとしている。しかし、生地は四角形といっても、頂部から縁に向って下り傾斜が付けてあり、その分、面積に比して遮光効果が低い。
【先行技術文献】
【特許文献】
【０００４】
【特許文献１】実用新案登録第３０６４３９３号公報
【考案の概要】
【考案が解決しようとする課題】
【０００５】
本考案は、面積に対して最大限の遮光効果があり、併せて軽量でコンパクトな日傘を提供したものである。
【課題を解決するための手段】
【０００６】
以上の課題の下、本考案は、請求項１に記載した、柄に摺動可能に嵌合される下ろくろと、生地を支えて柄に屈曲可能に放射状に取り付けられる親骨の中途とを、下ろくろと親骨との間に介在する受骨の両端で屈曲可能に連結し、下ろくろを柄に対して上下することで親骨を回動させて生地を開閉する日傘において、生地の傾斜を水平にするとともに、一辺が４００〜５００ｍｍの小さい四角形にしたことを特徴とする日傘を提供するとともに、これにおいて、親骨が四本である構成を提供する。
【考案の効果】
【０００７】
請求項１の考案によれば、生地の平面的な面積と同じだけの遮光面積を確保できるから、最大限の遮光効果が期待できる。また、この効果として、当然に小型化でき、コストも安くなる。
【図面の簡単な説明】
【０００８】
【図１】本考案の日傘の斜視図である。。
【図２】同じく縦断面図である。こ
【図３】同じく平面図である。
【図４】同じく底面図である。
【図５】図２の(Ａ)部の拡大図である。
【図６】図２の(Ｂ)部の拡大図である。
【考案を実施するための形態】
【０００９】
以下、本考案の実施の形態を図面を参照して説明する。図１は本考案の日傘を裏面から見た斜視図、図２は縦断面図、図３は平面図、図４は底面図であるが。この日傘は従来の日傘とほぼ似た形状をしており、中央に柄(中棒又はシャフトともいう)１を有し、その頂部(石突)に形成される一部が径太になって膨出している上ろくろ２と称されて骨格となす親骨３が放射状に延伸している。そして、柄１に下ろくろ４と称されるスリーブがスライド可能に嵌合されており、下ろくろ４と親骨３の中途とは両者に介在する受骨５の両端で屈曲可能に連結されている。これにより、下ろくろ４を柄１に対して上下させれば、親骨３を柄1にほぼ平行な状態から開いた状態に開閉できる。ただ、本考案では、親骨３の開度は９０°に設定されている。
【００１０】
図２のＡ、Ｂは開閉構造の具体的な構造であるが、受骨５の上端は、親骨３のほぼ真ん中の位置に下方に突出する二枚のブラケット６を形成し、この中に受骨５の上端を差し込み、両者に孔７を開けてピン８を挿通して受骨５を屈曲可能に連結している。このとき、ピン８が抜け出るの防ぐために両端をカシメ等で止めている(Ａ)。一方、下端は、下ろくろ４に一部ボス９を形成し、ボス９の外周から親骨３の数だけの溝１０を形成し、この中に受骨５の下端を差し込み、同じく孔７とピン８又はリングとで屈曲可能に連結している(Ｂ)。さらに、親骨３の上面には遮光用の生地１１を貼っている。こうすることで、受骨３を上下することで、生地１１を上記の角度で開閉できる。
【００１１】
本考案の日傘は以上の構成であるが、これにおいて、親骨３は四本になっており、これに伴って生地１１は平面視四角形をしている。また、生地１１の一辺は４００〜５００ｍｍ(親骨３の長さで５５０〜７００ｍｍ)程度にしてあり、従来の日傘の親骨が八本で、その長さが中心から片側が４３０ｍｍ前後のものに比べてかなり小さくなっている。加えて、受骨３を押し上げて日傘を開いたとき、生地１１の傾斜は上記したように水平になるように設定してある。ところで、日傘の開閉は下ろくろ４を上下にスライさせて行うのは上述したとおりであるが、上下の停止位置には下はじき、上はじきで呼ばれるストッパーが設けられており、これらによって決まった位置に確実に止まるようになっている。なお、これらの構造は周知であるから、ここでの詳説は省略する。
【００１２】
この日傘が以上の構成をとることにより、次のような効果が期待できる。まず、従来の日傘では、生地１１の傾斜が水平から２０°程度下り傾斜しているのに対して、本考案の日傘では生地の傾斜は水平である。したがって、生地１１の遮光効果がその面積に対して最大限に得られ、効率的である。さらに、親骨３の数は四本であり、それに伴って生地１１の平面的な形状は四角形になるから、小型、軽量になるし、コストも安くなる。特に女性や高齢者に多く使用される日傘の場合、それほどの大きさも、頑丈さも要求されないから、これで十分である。
【００１３】
なお、従来の日傘は受骨５で親骨３を突っ張って親骨3と生地１１を上方に彎曲させていたが、これは、生地１１を緊張させて、雨傘として利用したときに水滴の落下を容易にするためであるが、本考案の日傘は生地１１が水平であることに加えて、日傘専用であることから、突っ張りは敢えて必要なく、その分、生地１１の傷みも少ない。ただ、開いたときに下ろくろ４等に緩みが出てガタついてはならないので、多少は突っ張らせておくのが適する。
【符号の説明】
【００１４】
１    柄
２    上ろくろ
３    親骨
４    下ろくろ
５    受骨
６    ブラケツト
７    孔
８    ピン
９    ボス  
１０  溝
１１  生地
【図１】
0003228653.tif 000003
【図２】
0003228653.tif 000004
【図３】
0003228653.tif 000005
【図４】
0003228653.tif 000006
【図５】
0003228653.tif 000007
【図６】
0003228653.tif 000008
(57)【要約】      （修正有）【課題】樹脂製の無機質な素材ではなく、好き、楽しい、一体感等が心に沸き大きく人の心に訴える外形を有するゴム製のコードロックを提供する。【解決手段】コードロックは、ゴム素材を用いた前面パーツ２と後面パーツ３からなる分解型キャラクターの外形を有し、これにコードを通す穴を設けて突起５により篏合する。ゴムの滑り止め効果とキャラクター外容の感性とが一体となり機能と感性の相乗効果を生む。【選択図】図２
0003228615.tif 000002
【実用新案登録請求の範囲】
【請求項１】
コード上を移動して止着するゴム製の立体オモチャ型のコードロックであり、オモチャのパーツを成型ゴムで作りそれらのパーツを篏合して完成すると中心にはコードが通る貫通穴が設けられていて、外容は動物、アニメのキャラクター、ブランドのロゴ等を成し、更に外容表面に着色等を追加することでよりリアルなデザインに成り、身近に持つことで楽しい、面白い、好感度が湧くことを特徴とする滑りにくいゴム製のコードロック。
【考案の詳細な説明】
【技術分野】
【０００１】靴紐やパーカーのフード紐、ナップサックの口紐等のコード類を移動して留め置くコードロックに関する。
【背景技術】
【０００２】現在市場に出回っているコードロックは殆どが樹脂製で、ナイロンやポリアセタール素材が主体原料で有り、ソフトな質感を出すために一部ウレタン素材も用いられている。
用途に依っては金属製で作られた物も有る。
【先行技術文献】
【０００３】
【特許文献】
【特許文献】特許出願番号  特願２０１６−２３６３５３  実用新案登録  第１７１３９５
【考案の概要】
【考案が解決しようとする課題】
【０００４】従来のコードロックは機能本位で、その外見はコード上を移動してロックする機能にのみ主眼は置かれ無機質な構造物であった。
コードロックを見る者、使用する者が楽しい、うれしい、好感を持つ等の感性の高揚をもたらす側面は持っていない。
本案は持つだけで、また見るだけで心が高揚するコードロックを指向する。
【課題を解決するための手段】
【０００５】ゴムの成型によって作った立体のキャラクター、ロゴマーク、おもちゃ等にコードが貫通するトンネル穴を設け、ゴム素材の持つ滑りにくい特性を利用しコード上を移動してコードをロックする。
コードのロック機能と外形が与える強い感性とを合体させた強いインパクトの有るコードロックが創出される。
【考案の効果】
【０００６】使用範囲は広範で例えばブランドバックのジッパー引手やキーホルダー、携帯電話の飾りループ、お気に入りのキャラクター型靴紐のロックに使用できる。
成型デザインは企業のロゴマーク、漫画のキャラクター、動物、スポーツ、趣味、嗜好、流行を表現した外形で、更にその表面に曲面プリント、ホットメルト、捺染その他個別の手作業を追加すれば外見の印象をリアルに表現したコードロックに成り、見る者使う者に楽しい嬉しい、笑える、一体感を生む等の感情の高揚を生み出す。
【図面の簡単な説明】
【０００７】
【図１】コードにセットした本考案正面図である。
【図２】本考案の篏合側面を縦Ａ−Ｂ線で分離した側面図である。
【図３】本考案をＡ−Ｂで分離した正面側部品の背面図である。
【考案を実施するための形態】
【０００８】本考案のゴムコードロックを例題としてカエルのオモチャで説明する。
例題のカエルは側面Ａ−Ｂ線で分離され前半分、後ろ半分の２ピースから成り前後のピースはそれぞれの接着面に突起とこれを受ける固定用の穴が有り、前後のピースを合わせて篏合することで一体化する。
またそれぞれの接着面の中心にはコードを通す溝が設けられ、合体するとオモチャとしての全容が完成し、その中心にコードが通るトンネルが確保される。
【符号の説明】
【０００９】１、  完成本体
２、  前面パーツ
３、  背面パーツ
４、  コード
５、  篏合用オス突起
６、  篏合用メスホール
【図１】
0003228615.tif 000003
【図２】
0003228615.tif 000004
【図３】
0003228615.tif 000005
【手続補正書】
【提出日】令和2年7月6日(2020.7.6)
【手続補正１】
【補正対象書類名】実用新案登録請求の範囲
【補正対象項目名】全文
【補正方法】変更
【補正の内容】
【実用新案登録請求の範囲】
【請求項１】
コード上を移動して止着するゴム製の立体オモチャ型のコードロックであり、オモチャのパーツを成型ゴムで作りそれらのパーツを篏合して完成すると中心にはコードが通る貫通穴が設けられていて、外容は動物、アニメのキャラクター、ブランドのロゴを成し、更に外容表面に着色を追加することでよりリアルなデザインに成り、身近に持つことで楽しい、面白い、好感度が湧くことを特徴とする滑りにくいゴム製のコードロック。
(57)【要約】      （修正有）【課題】魚の食いが良くなる疑似餌を提供する。【解決手段】釣針とハリスの接続部にスキンを虫に見立てるように２個Ｖ字型にカットしたものを取り付ける。【選択図】図１
0003228614.tif 000002
【実用新案登録請求の範囲】
【請求項１】
釣針に、スキンを虫に見立てて、それをダブル形に切って２個付けたことを特徴とするスキンを細工した疑似餌。
【考案の詳細な説明】
【技術分野】
【０００１】  本考案は、疑似餌に関するものである。
【背景技術】
【０００２】  鯖、鯵等の食いの良い疑似餌は少なかった。
【考案の開示】
【考案が解決しようとする課題】
【０００３】  魚の食いが良くなることで釣果が上がり、前途の欠点を解決しようとするものである。
【課題を解決するための手段】
【０００４】  本考案は、釣針に付けるスキンの疑似餌を虫に見られるように加工することで問題を解決している。
【考案の効果】
【０００５】  上途の様に、考案の疑似餌を使うことで、釣果の向上に役立っている。
【考案を実施するための最良の形態】
【０００６】  スキンを虫に見立てるように、２個Ｖ字型に切ったものを釣針に付ける。
【実施例】
【０００７】  以下、添付図面に従って実施例を説明する。１は釣針で、２は疑似餌部分から成り１０個程度道糸に取り付ける。【０００８】  本考案の実施例は、上途の如き構成からなるもので青物魚釣りに役立つ。
【図面の簡単な説明】
【０００９】
【図１】正面図
【図２】側面図
【図３】実施例図
【符号の説明】
【００１０】  １  釣針
２  スキン
【図１】
0003228614.tif 000003
【図２】
0003228614.tif 000004
【図３】
0003228614.tif 000005
【手続補正書】
【提出日】令和2年7月9日(2020.7.9)
【手続補正１】
【補正対象書類名】実用新案登録請求の範囲
【補正対象項目名】全文
【補正方法】変更
【補正の内容】
【実用新案登録請求の範囲】
【請求項１】
釣針とハリスの接続部にスキンを２個Ｖ字形にカットしたものを取付けたことを特徴とする疑似餌。
(57)【要約】      （修正有）【課題】ペンケース等に収納でき、計測可能域を伸縮させることができるアタッチメント式ものさしを提供する。【解決手段】アタッチメント式ものさしは、全長１５ｃｍ程度の本体ものさし１に、長さ５ｃｍ〜１５ｃｍ程度のアタッチメント２、３を装着することで、ものさしの計測可能域を伸縮させることができる。持ち運びの際は本体ものさし１とアタッチメント２、３を分離させてペンケース等に収納が可能である一方、比較的長いものを測る際には、本体ものさし１へアタッチメント３を装着することで、計測可能域を広げることができる。【選択図】図１
0003228626.tif 000002
【実用新案登録請求の範囲】
【請求項１】
アタッチメントを装着することで、計測可能域を伸縮させることのできるものさし
【考案の詳細な説明】
【技術分野】
【０００１】  本考案は、全長１５ｃｍ程度の本体ものさしに、長さ５ｃｍ〜１５ｃｍ程度のアタッチメントを装着することで、計測可能域を伸縮させることのできるものさしに関するものである。
【背景技術】
【０００２】  現在日本の小学校の多くで使用されている３０ｃｍのものさしは、ペンケース等に収まらず、持ち運びに不便だという欠点を抱えている。一方でペンケース等に収まりやすい１５ｃｍ程度のものさしも、計測可能域が非常に限定されるという欠点を抱えている。
その結果、種々の状況に対応するために、この両者を共に保有する必要が生じている。
【先行技術文献】
【特許文献】
【０００３】
【特許文献１】特開昭６３−６１９０１号  公報
【特許文献２】特開昭６２−８１５０１号  公報
【特許文献３】実全平０３−０２３３０１号  公報
【考案の概要】
【考案が解決しようとする課題】
【０００４】  ペンケース等に収まらず持ち運びに不便な３０ｃｍのものさし、ペンケース等に収まりやすいが計測可能域が非常に限定される１５ｃｍ程度のものさし、いずれも他方にはない長所と短所を有している。その結果、種々の状況に対応するために、この両者を共に保有する必要が生じている。
本考案を用いれば両者が有する欠点のいずれも解消され、保有するものさしは本考案１種で済むことになる。
【課題を解決するための手段】
【０００５】  本考案は、全長１５ｃｍ程度の本体ものさしに、長さ５ｃｍ〜１５ｃｍ程度のアタッチメントを装着することで、ものさしの計測可能域を伸縮させることができる。
そのため、持ち運びの際は本体ものさしとアタッチメントを分離させてペンケース等に収納が可能である一方、比較的長いものを測る際には、本体ものさしへアタッチメントを装着することで、計測可能域を広げることができる。
これにより、従来の２種のものさしが有していた欠点が解消され、長所のみが活きることになる。
【考案の効果】
【０００６】  上述のように、本考案を用いることで、従来のものさし２種を有する必要性は解消される。
なお、持ち運びの便利さと計測可能域の確保という２つの課題をクリアしている定規は既に存在する。折りたたみ可能な定規がそれであるが、それらにも２点の短所が存在する。１つは、折りたたまれた定規を開く際に、机上にあるペン等を弾いて机下に落としてしまう可能性である。もう一つは、例えば３０ｃｍ定規を折りたたんで１５ｃｍ定規として収納するといったように、あらかじめ伸縮できる長さが固定されてしまっていることである。
本考案は、本体ものさしへアタッチメントを装着する際に机上にあるペン等を弾く心配もなく、またアタッチメントの長さのバリエーションを用意することで、伸縮できる長さに幅を持たせることも可能である。つまり本考案は、従来のものさし２種だけでなく、折りたたみ可能な定規が内在する短所をもクリアしている。
【図面の簡単な説明】
【０００７】
【図１】本考案のアタッチメント式ものさしの実施例を示す正面図である。
【考案を実施するための形態】
【０００８】  図１の示す通り、１５ｃｍ程度の本体ものさしと、種々の長さのアタッチメントを装着することで、計測可能域を伸縮させる。
なお結合部分の形状は、ジグソーパズルのピースを想起させるものとする。１つは、その形状により各々がはずれにくいという機能的な面を狙っている。もう一つは、本考案の主な使用者を小学生等と想定しているため、ジグソーパズルが知育玩具の象徴であることや、その形状が子どもの遊び心を刺激するといった効果を狙っている。
【実施例】
【０００９】  本考案は、透明アクリル製、金属製及び木製等、従来のものさしで使われてきたものと同様の素材で製造されることを想定している。【００１０】  ペンケース等に収納して持ち運ぶ際には、本体ものさしからアタッチメントは分離させておく。また計測の際も、主に本体ものさしを使用する。本体ものさしでは計測不能な場合に、必要に応じてアタッチメントを装着して対応する。
【符号の説明】
【００１１】  １  本体ものさし
２  アタッチメント１
３  アタッチメント２
【図１】
0003228626.tif 000003
(57)【要約】      （修正有）【課題】グリップが向上し握りやすくなり、金属アレルギーの人を含め、春夏秋冬、マウスを安定して操作することができるパソコン用マウス補助器具を提供する。【解決手段】補助器具は、パソコン用のマウスの側面に装着する部品１と部品２を有する。マウスの形状が指にあうようになりマウスを安定して操作することができる。また金属部分への接触を防ぐことができ、金属アレルギーの人や冬場の冷え性の人も安心してマウスを握ることができる。【選択図】図１
0003228627.tif 000002
【実用新案登録請求の範囲】
【請求項１】
パソコン用のマウスの側面等に取り付ける部品１と、部品２を有し、この部品１と部品２に、指をおくことで、グリップが向上し握りやすくなり、マウスを安定して操作することができるようになることが特徴のパソコン用のマウスの補助器具。
【請求項２】
パソコン用のマウスの側面等に取り付ける部品１と、部品２を有しこの部品１と部品２に指をおくさいに、部品１と部品２があることで、マウスの金属部分が指に触れないでマウスを操作することができるようになることが特徴のマウス補助器具。
【請求項３】
パソコン用のマウスの側面等に取り付ける部品１と、部品２を有し、マウスに取り付けたこの部品１と部品２のどちらかを地面と水平な床面に設置した場合に、マウスとこのマウス補助器具が垂直に立った状態で、マウスを充電することができるようになることが特徴のマウス補助器具。
【考案の詳細な説明】
【技術分野】
【０００１】  この考案は、パソコン用マウスの補助器具に関するものである。
【背景技術】
【０００２】  近年、パソコンを自宅や勤務先などで使う事が増え、同時にマウスを握る機会も増加している。マウスを長時間使う事で、手や指に負荷がかかり、疲れることも懸念される。また、マウスに金属部品がある場合に、金属アレルギーや、冷え性の方が冬にマウスの金属部分を直接指に触れることでマウスを握ること自体の懸念が発生している。このパソコン用マウスの補助器具を使うことで、グリップが向上し握りやすくなり、金属アレルギーの方も含め、春夏秋冬関わらず、マウスを安定して操作することができる。
【考案の概要】
【考案が解決しようとする課題】  既存のマウスでは、マウスの側面が凹凸のある硬い部品でできている事が多いため、長時間のマウス操作において、手、指、肩などに疲れを催しやすい作りになっており、マウスが握りにくい、使いにくいモノがあった。また金属部品を使っているため、金属アレルギーの方が使うことができず、さらには、金属部分が冬場に冷たくなり一部のマウスを握ることをためらうことが発生していた。
【課題を解決するための手段】  そこで、この考案は、マウスを使う際に、部品１と部品２からなるマウス補助具をマウスの側面にとりつけることで、マウス操作において、マウスのグリップが向上し、金属部分を触らないでマウスを握る事ができる。
【考案の効果】  この考案においては、マウスの側面に部品１と部品２を取り付けることで、マウスが握りやすく、手、指、肩などの疲れを極力減らすことで、握りやすくなり、マウス使用がしやすくなった。また金属部分に直接触れることがなくなり、金属アレルギーの方が安心してマウスを握ることができ、冬場でも安心してマウスを使うことができるようになる。
【図面の簡単な説明】
【図１】本願考案に係るパソコン用マウス補助器具の第一実施形態を示す図
【図２】図１に示すパソコン用マウス補助器具をマウスに取り付けた使用状態を示す図
【図３】図１に示すパソコン用マウス補助器具をマウスに取り付け指をおいた使用状態を示す図
【図４】図１に示すパソコン用マウス補助器具をマウスに取り付け立たせた状態でマウスに充電ができる使用状態を示す図
【図１】
0003228627.tif 000003
【図２】
0003228627.tif 000004
【図３】
0003228627.tif 000005
【図４】
0003228627.tif 000006